(57)【要約】  本発明は、色セパレータ、及び、プロジェクタ、特にビデオプロジェクタ用の色セパレータの用法、に関する。前記プロジェクタは、分離される光線を通して移動するように構成された表面を備え、該表面は、所定領域の異なる部分に向かう光線に含まれる異なる波長を導入可能な回折／ホログラフィック（ＤＯＥ）光学エレメントを備える。回折面の照射部分に基づく所定領域のそれぞれの部分に亘る色走査を提供するために、回折光学エレメントは光線を通して移動する表面上の一方向に沿って基本的に連続であり、前記方向は、表面に沿った位置に基づいて分離される色の方向である。
2007529019.tif 000002
【特許請求の範囲】
【請求項１】
分離される多数の波長を有する光線を通って移動するように構成された表面を有し、
該表面は、所定領域に対して前記光線の実質的な部分を少なくとも一部合焦させるように構成した回折又はホログラフィックな光学エレメント（ＤＯＥ）を有し、
前記合焦させた光線は所定領域における異なる部分に向いた異なる波長を有し、
前記回折／ホログラフィックな光学エレメントはそれ故、例えば連続的な色スペクトルのような繰り返しの色パターンを発生し、光線を通して回折／ホログラフィック光学エレメントの移動に応じて前記所定の表面全体に亘って走査される、例えばビデオプロジェクタ用の、色セパレータ。
【請求項２】
前記表面は、前記所定領域全体に亘って波長の走査を繰り返し行うために、回転する部分に位置している、請求項１に記載の色セパレータ。
【請求項３】
前記表面は、ドラムの軸に対して回転可能なドラム形状である、請求項１に記載の色セパレータ。
【請求項４】
前記表面は、平坦な、ディスク形状の表面である、請求項１に記載の色セパレータ。
【請求項５】
前記ＤＯＥは多数の合焦させたＤＯＥで構成され、それぞれのＤＯＥは前記撮像機器における選択された部分に分離した色を導入するためのものである、請求項１に記載の色セパレータ。
【請求項６】
前記合焦させたＤＯＥは、少なくとも一部重なっている、請求項５に記載の色セパレータ。
【請求項７】
前記ＤＯＥは、第一次及び第二次のいずれの回折をも前記撮像機器に向けるように構成され、前記ＤＯＥは、移動方向に沿って移動した時に、前記二つの回折の間で滑らかに変化する、請求項１に記載の色セパレータ。
【請求項８】
前記複数のＤＯＥは、反射型である、請求項１に記載の色セパレータ。
【請求項９】
前記複数のＤＯＥは、エレメントを介して通過する光を回折させる透過型である、請求項１に記載の色セパレータ。
【請求項１０】
前記ＤＯＥは、厚いフィルムのホログラフィックエレメントで構成される、請求項１に記載の色セパレータ。
【請求項１１】
前記ＤＯＥは、表面ホログラムで構成される、請求項１に記載の色セパレータ。
【請求項１２】
前記ＤＯＥは、回折スペクトルを通して走査するために選択された軸に対して傾斜または回転された平坦な表面上に備えられる、請求項１に記載の色セパレータ。
【請求項１３】
前記プロジェクタは、選択されたスペクトルを有する照明と、前記セパレータの選択された部分に対して光を向けるための集光手段と、前記所定領域内に位置する撮像機器と、前記画像を投影するための光学システムとを備える、ビデオプロジェクタにおける請求項１に記載の色セパレータの用法。
【請求項１４】
請求項１に記載の色セパレータを備えるビデオプロジェクタであって、選択されたスペクトルを有する照明と、前記セパレータの選択された部分に対して光を導入させるための集光手段と、前記所定領域内に位置する撮像機器と、前記画像を投影するための光学システムとをさらに備え、
前記撮像機器は、前記機器の各部分上に投影された色に対応する画像を提供するために前記色セパレータと同調する、ビデオプロジェクタ。
【請求項１５】
立体的な画像を投影するための請求項１４に記載のビデオプロジェクタの用法であって、前記撮像機器は、立体的な画像を構成する、異なる波長の組での２つの画像を投影するように制御され、前記波長の組はいずれもＲＧＢのフルカラースペクトルに対応し、前記画像は、２つで構成されて各々が前記波長の組の一つを通るフィルタリング機器を用いることで可視となる、ビデオプロジェクタの用法。
【発明の詳細な説明】
【技術分野】
【０００１】
本発明は、基本的に白色光源からの色の分離及び照明を提供するための機器に関するものである。機器には、例えば、マイクロミラーの機器（ＤＭＤ）または、シリコン型の反射型液晶（ＬＣＯＳ）の機器がある。
【背景技術】
【０００２】
現状において、プレゼンテーションを行うコンピュータ、または、映画の投影のための、異なる種類のプロジェクタの市場が増大している。また、デジタルカメラの使用の増加により、良好な品質で画像を表現可能なプロジェクタに対する要求が増大している。
【０００３】
最も一般的なプロジェクタの型は、画像を作製可能な液晶機器に基づくものである。この解決法には、最大でも光源からの光の半分以上が吸収される偏光フィルタが少なくとも一つ以上ＬＣＤに組み込まれているため、提供される画面上の画像の強度が比較的低いという不利益がある。加えて、各ピクセルは最高でも光の原色のうち一つだけしか透過しないため、各ピクセルは最高でも前記光の３０％しか透過しない。従って、光強度の大幅な損失は、この種のプロジェクタに引き継がれることになる。フィリップス製のＬＣＯＳは、現在利用可能で、透過型液晶ディスプレイよりも迅速で優れている新しい種類の反射型液晶ディスプレイ（ＬＣＤ）の例である。
【０００４】
代替的ではあるが高価な解決法には、独立して制御されてそれぞれ異なる３つの色を有するレーザー源の使用に基づくものがある。
【０００５】
高品質のプロジェクタにおいて普及してきている第３の解決法には、例えば、テキサスインスツルメント製のいわゆるＤＭＤなどの、マイクロミラー技術に基づくものがある。マイクロミラー技術は、スクリーンに対向するレンズシステムを介して光を反射する、または、反射しないように構成されている多数の小さい鏡に対して光を投影することに基づくものである。それぞれの鏡の位置はそれぞれの反射時間とともに維持され、反射光の色はスクリーン上の画像を再現する。この解決法は反射に基づくものであるので、それより従来のＬＣＤプロジェクタよりも優れた光強度を有する。
【発明の開示】
【発明が解決しようとする課題】
【０００６】
ＤＭＤプロジェクタの例は、米国特許第５，５９２，１８８号明細書、米国特許第５，４６７，１４６号明細書、米国特許第５，４５２，０２４号明細書、そして米国特許第５，４４８，３１４号明細書に記載され、一方ＬＣＯＳに関する解決法は、米国特許出願公開第２００２／０１５９０３３号明細書と同様に、米国特許第６，０２３，３０９号明細書、米国特許第６，０５３，１６５号明細書に記載されている。これらの解決法は、異なる原色の光を連続的に投影することで共通しており、白色光源からの光が反射撮像機器に対して投影される前に白色光源からの光がフィルタされることを意味する。それ故、投影された画像明度の減少に対応して、生成光において２／３の損失が存在する。
【０００７】
米国特許出願公開第２００２／０１７６０５５号明細書、米国特許出願公開第２００２／０１３５８６２号明細書、国際公開第０２／０９６１２３号パンフレット、米国特許出願公開第２００２／００５７４０２号明細書に記載されているように、通常、フィルタリングは回転カラーホイールにより行われ、反射撮像機器に亘って異なる色で走査するために前記ホイールはスパイラル形状を特色とするカラーフィルタを有し得る。上述したように、フィルタを一度に通過するのは一つの色だけであるため、この解決法は投影光強度の損失を生じさせる。米国特許出願公開第２００３／００２０８３９号明細書、及び米国特許出願公開第２００１／０００８４７０号明細書において、残存光をロッド内に反射させてその中で光源からの光と混合するという解決法が前記の問題に対して提案されている。この理論により、フィルタに送信され、そしてそれ故フィルタを通過する光量の増大が生じる。しかしながら、実際には、この解決法は限定的な効果しか有さない。
【０００８】
既知の技術による代替的な解決法には、写真光学計測技術者協会２００１年９５版（ms-2001-095_SPIE_version）、「ＬＣｏＳ投影のスクロール色の均一化」、Duncan J.Anderson著に示されているように、色を分離するために回転プリズムを用いるものがある。これは、高価であり複雑な解決法である。
【０００９】
米国特許出願公開第２００３／０１１７５９２号明細書において、ホログラフィック素子の移動アレイをフィルタとして用いる解決法が示されている。従来の技術で上述したように、ホログラフィックフィルタは、選択された色を抽出してこれを撮像機器に投影するために用いられる。それ故、この発明においては、フィルタされた光が最大で略１／３だけしか撮像機器に到達しない。また、この解決法では、フィルタリングを得るために必要な光学システムが複雑化してしまう。
【００１０】
それ故、撮像機器を照射する光の量を増大させる色分離機器を提供することが本発明の目的である。光を分離及び制御するために回折光学エレメントを用いることにより改良されたプロジェクタを提供することも本発明の目的である。この目的は、独立した請求項において記述されたように獲得される。
【課題を解決するための手段】
【００１１】
生成光の大部分がプロジェクタを通って画像を投影するために用いられるため、この方法は、照射システムにおける実質的な改良として提供される。本発明による解決法はまた、製造が安価かつ容易であり、そして、米国特許出願公開第２００３／００２０８３９号明細書及び米国特許出願公開第２００１／０００８４７０号明細書において用いられた光を混合するロッドのような複雑な部材の必要性を省略できる。
【００１２】
回折光学エレメントの理論は、国際公開第０２／４４６７３号パンフレットに記述されている。この明細書から明らかなように、複数の回折光学エレメント（ＤＯＥｓ）は、表面上にスペクトル画像を提供し得る。ここでの略語「ＤＯＥ」は、この国際出願において言及されたホログラフィックエレメント及び回折エレメントの種類のいずれをも意味するものであると理解されるべきである。
【００１３】
白色光源で供給される場合には、可視スペクトル全体が、選択されたエリア上の異なる部分で投影され得る。このような場合において、選択されたエリアは、撮像ＤＭＤ又はＬＣＯＳ機器であってもよい。国際公開第０２／４４６７３号パンフレットにおいて記述されたＤＯＥｓは、量産のため安価であり、コンパクトディスクの生産と同様の技術を用いて、製造されるやいなや容易に加工される。他の複製技術、すなわち、基板の頂部の紫外線硬化性ポリマーを用いてもよい。
【００１４】
本発明における好ましい実施の形態によれば、ＤＯＥは、所定領域に亘って度重なる波長の走査を行うために回転部分に位置している。ＤＯＥは、ドラム形状の表面上、または平板上、ディスク形状の表面上に位置していてもよい。いずれの場合でもＤＯＥは、回折パターン、及びそれ故投影スペクトルパターンが３６０度回転を繰り返すために回転させられる。前記パターンは、円環をより小さい部分、例えば各々９０度の回転、に区切った後に、反復してもよい。
【００１５】
本発明における他の実施の形態によれば、セパレータはビデオプロジェクタに用いられる。前記プロジェクタは、選択されたスペクトルでの照明器具と、セパレータにおける選択された部分に光を導入する集光手段と、前記所定領域内に位置する撮像機器と、画像を投影する光学システムとを備える。
【００１６】
本発明における他の実施の形態によれば、色セパレータを備えるビデオプロジェクタは、ＤＯＥエレメントを用いて提供される。ＤＯＥエレメントはまた、選択されたスペクトルでの照明器具と、セパレータにおける選択された部分に光を導入する集光手段と、前記所定領域内に位置する撮像機器と、画像を投影する光学システムとを備える。前記撮像機器は、前記機器の各部分に投影される色に対応する画像を提供するために前記色セパレータと同調している。
【００１７】
さらに他の実施の形態によれば、ＤＯＥは、参照のためにここで組み入れられた国際公開第０２／４４６７３号パンフレットに記述されているように、プロジェクタに関連するいくつかの光学システムを不要とするために、集光手段を設けられている。
【００１８】
本発明は、添付の図面を参照した以下の説明によってさらに理解されるであろう。前記図面は、本発明を例示のために示している。
【発明を実施するための最良の形態】
【００１９】
図１における色パターンは、円環に従ってスペクトルパターンが半径方向に移動するように撮像機器６（例えば、ＤＭＤ）の上方で回転される。ＤＯＥの動作や特徴が分かっているので、撮像機器の各部分に到達する光の波長も分かる。それ故、撮像機器は、現在の色に反射または非反射を与えるように作製してもよい。
【００２０】
本発明は、利用できるスペクトルにおいて選択される任意の色を撮像機器が反射でき、それ故従来のＲＧＢに基づく色に比して利用可能な画像の色空間を拡大できるため、既知の技術全体に対して利益を有する。スペクトルを３原色以上に分離することで、ＲＧＢ色空間では利用できない色及び色強度を組み込んだ高品質の画像投影を得ることが可能となる。この場合には、投影された画像において利用できるコントラストが増大するため、白色光を反射する部分でＤＯＥを供給することも可能となる。また、色の変わり目が除外されるので、撮像機器の活動期間も拡大しうる。
【００２１】
この利益が得られる撮像機器を制御するために用いられる制御機器は、標準的なエレクトロニクスに基づいていてもよく、ここでは何ら詳細を記述しない。しかしながら、制御機器には、選択地点での色を検出して、それ故撮像機器に比してＤＯＥの回転を同調させるために、モニタリング検出器が設けられていてもよい。あるいは、一つ以上のＤＯＥパターンが一つ以上の波長に分割するために供給されてもよく、撮像機器に連結されたモニタリング検出器にＤＯＥパターンの一部を送信してもよい。
【００２２】
図２ａにおいて、色分離システムの概略図が示されている。既知の放射スペクトルを有する光源２は、回転するＤＯＥに対しアパーチャ４を介して光を導入するように設けられる。ＤＯＥ１は、撮像機器３に対して光を回折させ、該光は虹色のパターンに分割される。ＤＯＥは回転しているので、その異なる部分が光源によって照射される。ＤＯＥは、表面に沿った位置によって異なる色パターンを投影するように構成されている。色は撮像機器全体に亘って連続的に変化することが好ましい。これは例えば、ＤＯＥが回転するにつれて赤色帯域が撮像素子全体に亘って移動し、そして、それが縁部に到達したときに新たな赤色帯域が撮像機器の反対側の縁部に現れるからである。実際には、例えば第一及び第二次の回折パターンを重ねるために、製造中にＤＯＥを制御することで、このことは達成しうる。
【００２３】
上述したように、ＤＯＥディスク又はドラムが３６０度回転したときに、撮像機器上の色パターンは繰り返される。しかしながら、製造目的のために、パターンの繰り返しをより短い区分、例えば９０度、で行うことが有利となり得る。
【００２４】
実際のプロジェクタを実装するためには、引用文献が参照される。この引用文献には、いくつかの適応を伴って本発明を実現し得る解決法が記述されている。前記複数のＤＯＥにおける集光能力及びビーム整形能力を提供するためにいくつかの光学エレメントの省略が可能である。しかしながら、ＤＯＥが撮像機器に対してスペクトルを合焦するように構成されてもよいため、図２に示した本発明の原理は、本発明の好ましい実施の形態によっても可能である。
【００２５】
図２ａは、ＤＯＥ１に加えていくつかの従来型の光学エレメント６を備える他の実施の形態を示す。上述したように、ＤＯＥは、ここで示した平らなリング形状の構造以外の他の形状を有していてもよい。特定の状況下で生じる用途及び技術的要求に応じて、ＤＯＥは、ドラムの上に位置しても良く、または、自身の軸に対して傾斜したまたは回転された平板のＤＯＥによって構成されていても良い。このようなＤＯＥの主な特徴により、撮像機器において繰り返されたスペクトル照射を提供できる。
【００２６】
このような場合に、ＤＯＥは、例えば、上述した国際公開第０２／４４６７３号パンフレット、及び図３及び図４において示されるように、大多数の小さいＤＯＥを含む不連続な回折パターンを備えていてもよい。ＤＯＥは、同期した表面のホログラムのカスタムデザインを通して製造され、それ故選択された色分離及び集光の能力を与えるように制御される。それ故、各波長の個々の方向を同時に識別する間、受信した光のかなりの部分を所定領域に対して導入し、又は集めることができるので、従ってＤＯＥは分散的に作用して少なくとも一部は前記波長成分に集中する。また、本発明によるＤＯＥの移動により、ＤＯＥの異なる部分が照射される。ＤＯＥの異なる部分が異なる方向における波長に導入されるように制御された場合、所定領域に亘る波長の走査が得られうる。
【００２７】
ＤＯＥはＣＤ成型設備を用いて大量生産され得るため、大部分の量子においてそれぞれ約１ドルのコストで製造することが可能となる。それ故、ＤＯＥは、コスト効果とエネルギー効果のいずれの解決法をも示すものである。
【００２８】
図３において、ＤＯＥは、撮像機器３に向かう多くの異なる色スペクトルで示される。本発明による、例えばリング又はドラム上の、多くの異なるＤＯＥを通して走査したとき、撮像機器で受信するスペクトルが変化するために、スペクトルは色分布における位置が変化し得る。
【００２９】
図４においてＤＯＥは、撮像機器全体を覆う色スペクトルを送信するように制御される。本発明によるＤＯＥリングが図４に示されたようなＤＯＥの連続的な変化を構成する場合、撮像機器に投影されたスペクトルにおける半連続的な変化の連続性が得られうる。ＤＯＥからのスペクトルに伴って撮像機器が同調することによって、撮像機器が適切な時点で正確な色を反射でき、それ故、任意の要求された色で画像を作製することが可能となる。
【００３０】
また、光源の正確なスペクトルが既知の場合、ＤＯＥ又は撮像機器が固有の色及び強度偏差の照明を考慮するように制御され得る。
【００３１】
本発明における他の実施の形態によれば、色スペクトル全体がフィルタ帯域の広さだけではなく生成されるという事実を用いて単一のプロジェクタにおける３Ｄの色投影が得られうる。それゆえ、例えば、赤色、緑色、青色の波長帯域で、別々に色分けされた２つの重なる画像が同時に投影され得る。左目及び右目の正面に対応するフィルタを通して投影された画像を観察することによって、３Ｄ認識が得られる。このようなフィルタは、例えばファブリーペローフィルタとして理解される。偏光に基づいた解決法に比して、この実施の形態は通常の拡散スクリーンだけしか必要としない。
【００３２】
図５には、それぞれの色を示すかなり広い帯域の波長の範囲を備える標準的なＲＧＢスペクトルが示されている。図６には、波長間を区別するための本発明の能力、及び、それ故拡大した色空間によって、観察者にフルカラーのＲＧＢ画像として現れうる２組の画像が用いられる方法が示されている。観察者に、例えばファブリーペローフィルタといった、波長の範囲が選択された制限された光を通すことが可能な、正確なフィルターの組が与えられた場合、投影された画像の一つだけしか見えない眺めとなり得る。ビューアーに２つの異なるフィルタが提供された場合、それぞれの目で、２つの異なる画像を見ることができるであろう。図６における点線は、左目で見える波長を表し、実線は右目で見える波長を表す。左目は、ＲＧＢにより合成され、しかしながら右目よりもわずかに異なる波長での画像を見る。ファブリーペローフィルタは２つの異なる画像を選択し、一つは左目に対するもので、他のフィルタは右目に対するものである。色は、信号処理及び本システムにおけるようなＲＧＢキャリブレーションによって補正され得る。
【００３３】
従って、わずかに異なる波長の組の２つの画像を同時に投影することによって立体的な画像を投影することが可能となる。品質における損失は、目で知覚する色空間が標準的なＲＧＢ色空間内であるため、投影光束においてのみ存在する。実際に、示された例において、投影により、それぞれの目で６つの原色が依然として許容され、従って標準的なプロジェクタに対する改良が示されている。
【００３４】
この３Ｄ撮像プロジェクタは、例えばＩＭＡＸのような３Ｄプロジェクタに基づいた偏光が必要とされるような偏光保持スクリーンではなく、標準的な拡散スクリーンを有する一つのプロジェクタだけを必要とするため、既知の技術に対して多数の利益を有している。
【図面の簡単な説明】
【００３５】
【図１】画像エレメントに亘って移動する色パターンの一実施例を示す。
【図２】光源及び撮像機器と同様に、選択された軸に従って回転される円環状のＤＯＥを示す。
【図２ａ】図２において示されたシステムにおける他の実施の形態を示す。
【図３】集光ＤＯＥエレメントの原理を示す。
【図４】好ましい実施の形態による集光ＤＯＥを示す。
【図５】従来におけるＲＧＢ色スペクトルの強度を示す。
【図６】本発明における機器で３Ｄ画像を分離するためにこれを分割した状態を示す。
【符号の説明】
【００３６】
１  ＤＯＥ
２  光源
３  撮像機器
４  アパーチャ
６  光学エレメント
【図１】
2007529019.tif 000003
【図２】
2007529019.tif 000004
2007529019.tif 000005
【図３】
2007529019.tif 000006
【図４】
2007529019.tif 000007
【図５】
2007529019.tif 000008
【図６】
2007529019.tif 000009
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
光線を通って移動するように構成された表面を有し、
該光線は、前記表面の一部を照射するとともに、分離される多数の波長を有し、
該表面は、所定領域に対して前記表面の一部を照射する前記光線のスペクトルにおける実質的な部分を少なくとも一部合焦させるように構成した回折又はホログラフィックな光学エレメント（ＤＯＥ）を有し、
前記合焦させた光線における異なる波長は、所定領域における異なる部分に向いており、
前記回折／ホログラフィックな光学エレメントはそれ故、例えば連続的な色スペクトルのような必須の連続した周期的な繰り返しの色パターンを発生し、光線を通して回折／ホログラフィック光学エレメントの移動に応じて前記所定の領域全体に亘って走査される、例えばビデオプロジェクタ用の、色セパレータ。
【請求項２】
前記表面は、前記所定領域全体に亘って波長の走査を繰り返し行うために、回転する部分に位置している、請求項１に記載の色セパレータ。
【請求項３】
前記表面は、ドラムの軸に対して回転可能なドラム形状である、請求項１に記載の色セパレータ。
【請求項４】
前記表面は、平坦な、ディスク形状の表面である、請求項１に記載の色セパレータ。
【請求項５】
前記ＤＯＥは多数の合焦させたＤＯＥで構成され、それぞれのＤＯＥは前記撮像機器における選択された部分に分離した色を導入するためのものである、請求項１に記載の色セパレータ。
【請求項６】
前記合焦させたＤＯＥは、少なくとも一部重なっている、請求項５に記載の色セパレータ。
【請求項７】
前記ＤＯＥは、第一次及び第二次のいずれの回折をも前記撮像機器に向けるように構成され、前記ＤＯＥは、移動方向に沿って移動した時に、前記二つの回折の間で滑らかに変化する、請求項１に記載の色セパレータ。
【請求項８】
前記複数のＤＯＥは、反射型である、請求項１に記載の色セパレータ。
【請求項９】
前記複数のＤＯＥは、エレメントを介して通過する光を回折させる透過型である、請求項１に記載の色セパレータ。
【請求項１０】
前記ＤＯＥは、厚いフィルムのホログラフィックエレメントで構成される、請求項１に記載の色セパレータ。
【請求項１１】
前記ＤＯＥは、表面ホログラムで構成される、請求項１に記載の色セパレータ。
【請求項１２】
前記ＤＯＥは、回折スペクトルを通して走査するために選択された軸に対して傾斜または回転された平坦な表面上に備えられる、請求項１に記載の色セパレータ。
【請求項１３】
前記プロジェクタは、選択されたスペクトルを有する照明と、前記セパレータの選択された部分に対して光を向けるための集光手段と、前記所定領域内に位置する撮像機器と、前記画像を投影するための光学システムとを備える、ビデオプロジェクタにおける請求項１に記載の色セパレータの用法。
【請求項１４】
請求項１に記載の色セパレータを備えるビデオプロジェクタであって、選択されたスペクトルを有する照明と、前記セパレータの選択された部分に対して光を導入させるための集光手段と、前記所定領域内に位置する撮像機器と、前記画像を投影するための光学システムとをさらに備え、
前記撮像機器は、前記機器の各部分上に投影された色に対応する画像を提供するために前記色セパレータと同調する、ビデオプロジェクタ。
【請求項１５】
立体的な画像を投影するための請求項１４に記載のビデオプロジェクタの用法であって、前記撮像機器は、立体的な画像を構成する、異なる波長の組での２つの画像を投影するように制御され、前記波長の組はいずれもＲＧＢのフルカラースペクトルに対応し、前記画像は、２つで構成されて各々が前記波長の組の一つを通るフィルタリング機器を用いることで可視となる、ビデオプロジェクタの用法。
【国際調査報告】
2007529019.tif 000010
2007529019.tif 000011
2007529019.tif 000012